(57)【要約】一種の女性の膣の筋肉を鍛える機器であって、外殻チューブ（１）、外殻チューブ（１）内にある流体及び制動孔などから構成する。それが膣に入れられると、使用者は膣の筋肉を収縮させることにより、膣の筋肉を鍛えるという目的を実現させることができる。本発明の機器は、女性の膣筋肉を増強させ、女性が出産による膣の緩みを治し、セックスの快感を向上させることができる。
2006525043.tif 000002
【特許請求の範囲】
【請求項１】
少なくとも一つの弾性を有する外殻チューブ及び流体を備え、前記流体は前記外殻チューブの中空部に充填されていることを特徴とする女性用膣筋肉鍛練器。
【請求項２】
前記外殻チューブは弾性材料から形成されており、前記流体は前記外殻チューブ内の中空部に充填されており、前記外殻チューブ内の中空部に少なくとも一つの制動穴を備えていることを特徴とする請求項１に記載の女性用膣筋肉鍛練器。
【請求項３】
前記外殻チューブ内に少なくとも二つの半楕円状部材を備え、前記半楕円状部材のそれぞれは互いに両端部で結合されていることを特徴とする請求項１に記載の女性用膣筋肉鍛練器。
【発明の詳細な説明】
【技術分野】
【０００１】
本発明は一種の女性の膣筋肉群をを鍛錬するための新規な装置に関する。
【背景技術】
【０００２】
現在、女性の膣の弛緩を解決する方法として手術を行うことが知られている。しかし、この方法は患者に痛みを与え、女性の膣の周囲の筋肉を強化することはできず、しかも高い費用がかかり、簡単に実施することができない。また、患者は病院で専門な手術を受けなければならないが、秘密保持の点で問題がある。現在のところ、機器による鍛練方法で女性の膣を縮小させ、膣筋肉を増強させることを目的とする製品は装置は知られていない。
【発明の開示】
【発明が解決しようとする課題】
【０００３】
本発明は一種の女性の膣の筋肉を鍛える機器を提供するが、女性はこの機器の利用により、簡単に膣筋肉群を増強させることができ、膣の緩みを治し、同時に夫婦の性生活の快感を向上させることができるようになる。
【課題を解決するための手段】
【０００４】
本発明の目的は以下のようにして達成し得る。すなわち、本発明の女性用膣筋肉鍛練器は少なくとも一つの弾性を有する外殻チューブ及び流体を備え、前記流体は前記外殻チューブの中空部に充填されている。使用の際、使用者は前記機器を膣に入れ、膣の筋肉群を収縮させ、また筋肉群を緩めさせる。筋肉を収縮させる時は、筋肉が機器の弾性を克服して仕事をする必要がある。このように繰り返し膣の筋肉群を収縮及び緩めることにより、膣の筋肉群を鍛えるという目的を達成することができる。このようにして長い間膣の筋肉群を鍛えると、これらの筋肉群を増強させ、膣を狭くすることができる。本発明の機器を最初に使用する場合、筋肉を収縮するのが難しく、また収縮の強度も大きくはないが、しばらく鍛えると、使用者は次第に思うように膣の筋肉群を収縮させることができるようになり、かつ筋肉の増強により、収縮力も大きく高まっていく。
【０００５】
上記の機器の外殻チューブはゴム、シリコンゴム及びプラスチックのいずれかで作られ、気体又は液体のような流体が外殻の中に密閉的に入れられる。機器の弾性抵抗力は外殻チューブの変形による弾性又は流体が圧縮されて生じた抵抗力によって発生する。
【０００６】
分割部材で上記の外殻チューブの内部を二つの部分に分けることができ、この場合、分離部材に少なくとも一つの制動孔を設置しておく。外殻チューブの膣に入れられる部分が膣の筋肉群によって押されると、その内部の流体は制動孔を通って膣の外部に位置する中空部に流れていく。液体が制動孔を通過する際に一定の抵抗力を受ける。この場合、機器の弾性抵抗力は、制動孔の抵抗力、外殻変形による弾性力及び流体が圧縮されてできた抵抗力によって発生する。
【０００７】
また、実質的に半楕円形の弾性輪の両端を固定して、環状又は楕円球状の弾性体を形成させ、上記外殻チューブの中に設置することもできる。この場合、機器の弾性抵抗力は主に弾性体で発生する。弾性体はゴム、シリコンゴム、金属線など弾性が比較的高い材料で作製する。
【０００８】
鍛練の効果を向上させるために、同じ使用者に数種の直径が異なる鍛練器を提供するこもでき、この場合特に子供を出産したばかりの女性に有用である。使用者は自分の具体的な状況によって段階的に直径が異なる機器を選ぶことができ、これによって鍛練の収縮力を調整することができ、一方では、異なる広さの膣（特に出産したばかりの女性）によく対応させることができる。膣が緩んだ時は直径が比較的大きな機器で鍛え、しばらくして、直径が比較的小さい機器で鍛える。また、１回の鍛練に際して異なる直径の機器で順番に鍛えることができる。また、より多くの流体を充填して外殻チューブの直径を変化させることができる。
【０００９】
上記の流体は液体でも気体でもよい。外殻チューブはプラスチック、ゴム及びシリコンゴムのいずれかで製造する。外殻チューブをゴムで製造する場合、外殻チューブの強度を増強させるために、外殻チューブの内部にその他の硬度が比較的高い材料でできたシャフトをサポートとして設置するとよい。機器を容易に女性の膣に入るようにするために、まず機器表面に水やビタミンＥなどの潤滑剤を塗付しておく。女性の膣の組織は比較的しなやかであるため、外殻チューブの表面も細部にわたって滑らかにすべきである。本発明の機器は陰茎のような形状（前端に突起部がある）に作製してもよいが、使用者はそれを鍛練機器としながら自慰機器としても使用し得る。自慰の快感を増強させるために、機器の表面に円滑な突起を設置することもできる。本発明の機器に既知のその他の女性自慰用機器のその他の特徴を導入して、多用途製品に作りあげることもできる。
【００１０】
本発明の利点は以下のとおりである。本発明の機器の使用により、女性は如何なる苦痛も受けずに膣を縮小させ、膣の筋肉群を増強させることができる。更に夫婦性生活の快感を向上させ、夫婦間の感情を増進させ、家庭関係を強固にさせることができる。使用者は自分で目的を達成でき、病院へ行って医者に見てもらう気まずい感じをうけることがなくなる。もっぱら自発的に鍛え、如何なる外力も必要とせず、完全に使用者が自分で制御できるので、安全的で、信頼性が高い。
【発明を実施するための最良の形態】
【００１１】
本発明を実施例及び図面を参照して説明する。図１は本発明の第１の実施例の縦断面図である。図２は本発明の第２の実施例の縦断面図である。図３は図２の符号４の部分の拡大断面図である。図４は図２の符号５の部分の右側面図である。図５は本発明の第３の実施例の縦断面図である。図６は図５の符号２の部分の側面図である。
【実施例１】
【００１２】
図１に示す実施例１においては、外殻チューブ１は円柱管状であり、左端の突起は半球形とされている。中央にはシャフト２が設けられており、その左端は円弧状に形成され、右端はチューブ１と接着されて密閉室が形成されている。流体はチューブ１内に密閉されている。シャフト２は装置の厳密な形を維持し、それによってユーザが膣に装置を入れることを可能にする。膣の筋肉が収縮する時に受ける弾性抵抗力は主に外殻チューブ１の変形によって生じる。外殻チューブはゴム、シリコンゴム、プラスチックなど弾性を有する材料からなっている。シャフトはプラスチック、鋼など硬質材料で作製される。手動で外部より外殻チューブへの圧力を調整して膣筋肉群が収縮する時の抵抗力を調整することができる。鍛錬の段階によって異なる抵抗力を与えると、膣筋肉の増強を促進することができる。
【実施例２】
【００１３】
図２に示す実施例２においては、外殻チューブ１及びエンドカバー７は接着剤で一体に接着され、流体（液体又は空気）が外殻チューブ１の中空部に密閉される。分割部材４及び外殻チューブ１も接着剤で相対的位置を接着して固定させる。シャフト２は左端が半球形状であり、右端が円盤形（図中最右端の円盤）となっている。リテイナー３はシャフト２に対して分割部材４の軸方向位置を固定させる。エンドカバー７及びシャフト２の間は密閉ワッシャー８によって密閉されている。リテイナー６はシャフト２に対して密閉ワッシャー８の軸方向位置を固定させる。抵抗力調整部材５はシャフト２に固定されている。シャフト２は密閉ワッシャー８の中で回転させることにより抵抗力調整部材５を回転させることができる。
【００１４】
図３においては、制動要素１０は円錐形であるが、中間部に制動孔があり、リテイナー９によって分割部材４の孔内に固定されている（リテイナー９は十字形である）。使用者は膣筋肉を収縮させて外殻チューブ１の左側中空部を圧縮すると、分割部材４の左側の流体は制動要素１０によってしっかりと分割部材４の円錐形孔内に押される。流体は制動要素１０の制動孔を通って一定の抵抗力を受けて分割部材４の右側の中空部に流れていく。制動要素が円錐形であるため、右側の流体が左側に押し流される時、制動要素１０はリテイナー９の左側の位置に移動し、制動要素と分割部材４との間の隙間が大きくなるが、右側の流体は抵抗力が小さいので、急速に左側の中空部に流れて戻る。従って、制動要素１０の構成は単方向バルブのように作動する。
【００１５】
図４に示すように、分割部材４に複数個の制動孔を設けることができる。シャフト２の右端の円盤を回転させると、抵抗力調整部材５も連れて回転するが、回転角度によって異なる個数の制動孔を塞ぐことができる。従って、流体が右側へ移動する時に受ける抵抗力を変えることができる。これは即ち膣筋肉が収縮する時に受ける抵抗力を調整することを意味する。膣の筋肉がより強くなるとともに、使用者は抵抗力がより大きな位置を設定して鍛えることができ、このようにすると筋肉をより強化するのに役立つ。流体を右側から左側へ戻させるためには、手で右側中空部を押すことにより流体を左側中空部に戻すことができる（一般に、膣筋肉を緩めると、左側中空部の圧力が低下し、右側中空部の流体が右側中空部外殻の弾力によって自動的に左側中空部に流される）。この実施例においては、弾性抵抗力は主に制動孔及び分割部材右側の流体、外殻弾性変形などによって生じる。軸方向の長さを減らすために、分割部材４の右側の外殻チューブの径方向サイズを左側外殻チューブ直径のサイズより大きくするが、或は球状に形成してもよい。
【実施例３】
【００１６】
図５に示す実施例３においては、外殻チューブ１とシャフト３とは、シャフト３の右端で接着剤により固定されている。弾性体２、４はそれぞれ４つの半楕円状部材から構成され、外観がラグビーボール状の形状となっている（円球状でもよい）。二つの弾性体はシャフトに固定される。弾性体はゴムで作製することができる。流体は空気でよいが、この実施例では膣収縮に対する抵抗力は主に二つの弾性体２、４の変形によって発生するので、空気を特に密閉する必要はない。
【図面の簡単な説明】
【００１７】
【図１】本発明の実施例１の縦断面図である。
【図２】本発明の実施例２の縦断面図である。
【図３】図２の符号４の部分の拡大断面図である。
【図４】図２の符号５の右側面図である。
【図５】本発明の実施例３の縦断面図である。
【図６】図５の符号２の部分の側面図である。
【符号の説明】
【００１８】
図１中：１−外郭チューブ；２−シャフト
図２中：１−外郭チューブ；２−シャフト；３−リテイナー；４−分割部材；５−抵抗力調整部材；６−外郭チューブ；７−エンドカバー；８−シール
図３中：４−分割部材（図２と同じ）；９−リテイナー；１０−制動要素
図５中：１−外郭チューブ；２−弾性体；３−シャフト；４−弾性体
【図１】
2006525043.tif 000003
【図２】
2006525043.tif 000004
【図３】
2006525043.tif 000005
【図４】
2006525043.tif 000006
【図５】
2006525043.tif 000007
【図６】
2006525043.tif 000008
【国際調査報告】
2006525043.tif 000009
2006525043.tif 000010
2006525043.tif 000011
2006525043.tif 000012
2006525043.tif 000013
2006525043.tif 000014